(57)【要約】      （修正有）【課題】取付が簡単でかつ高信頼度がアンテナ反射器の取付具を提供する。【解決手段】反射素子を水平支持する同一構成で形成された上部取付け具３Ｂ及び下部取付け具３Ａからなるアンテナ反射器２の取付け具において、前記上下部取付け具のそれぞれの第１側面板に第１突起部１１及び第２突起部１２と、前記上下部取付け具のそれぞれの第２側面板２０に設けられた、前記第１突起部及び第２突起部と嵌合する第１係止部２１及び第２係止部と、を具備している。前記上下部取付け具が所定のくの字角度となって、前記第１突起部と前記第１係止部とが嵌合ロックされるまでの間、前記第２突起部は前記第２側面板と重合しないように、前記第１突起部の突出寸法より短い寸法で形成されており、しかも、前記第１突起部が前記第１係止部に嵌合ロックすると略同時に、前記第２突起部と前記第２係止部が嵌合ロックするよう、前記第２突起部と前記第２係止部との形成位置を決めた。【選択図】図３
0003175543.tif 000002
【実用新案登録請求の範囲】
【請求項１】
アンテナアームの中心軸線に対して直交する方向の軸線を回動の中心として、くの字状に開閉自在となるように固定部において固定され、その上方、及び下方それぞれにおいて反射素子を水平支持する同一構成で形成された上部取付け具及び下部取付け具からなるアンテナ反射器の取付け具において、
前記上部取付け具、及び下部取付け具は、それぞれ相互に対向する第１側面板と第２側面板を有した断面コ字状に形成されており、
前記固定部における前記第１側面板と前記第２側面板を同心的に貫通する孔であって、当該固定部の間に前記アンテナアームを介在させた状態で前記アンテナ反射器とアンテナアームを固定するための固定手段が挿通される第１挿通孔、及び前記上部取付け具及び下部取付け具を開閉自在に組み付けるための第２挿通孔と、
前記上部取付け具、及び下部取付け具のそれぞれの第１側面板における前記固定部の近傍の外側面に突設された突起部であって、それぞれ所定の間隔だけ離れた位置に突設されるように設けられた第１突起部、及び第２突起部と、
前記上部取付け具、及び下部取付け具のそれぞれの第２側面板における前記固定部の近傍に形成され係止部であって、前記第１側面板と前記第２側面板のそれぞれに形成された前記各挿通孔の中心軸を略同一線上に配設し、相手方取付け具の前記第１側面板の外側面が、前記第２側板板の内側面に沿って重なり合うように組み付けた状態で、前記上部取付け具と下部取付け具を所定のくの字角度としたときに、前記第１突起部、及び第２突起部と嵌合する第１係止部、及び第２係止部と、を具備しており、
前記上部取付け具と下部取付け具とが所定のくの字角度となって、前記第１突起部と前記第１係止部とが嵌合ロックされるまでの間、当該第１突起部が前記第１側面板と第２側面板の間に介在するように位置するときでも、前記第２突起部は前記第２側面板と重合しないように、前記第１突起部の突出寸法より短い寸法で形成されており、しかも、前記第１突起部が前記第１係止部に嵌合ロックすると略同時に、前記第２突起部と前記第２係止部が嵌合ロックするよう、前記第２突起部と前記第２係止部との形成位置を決めたことを特徴としたアンテナ反射器の取付け具。
【請求項２】
前記上部取付け具、及び下部取付け具のそれぞれの第２側面板には、前記突起部と前記係止部の嵌合ロックを解除するための摘み片を具備し、当該摘み片を外方向に弾性変形させることによって前記突起部と前記係止部との嵌合ロックを解除するように構成されており、
前記第１突起部と前記第２突起部の形成位置は、前記第１突起部と前記第２突起部の嵌合状態が、前記上部取付け具、及び下部取付け具の外方向から見ることができる位置に形成されており、
前記突起部と前記係止部との嵌合ロックを解除する場合、前記第１突起部と前記第１係止部との嵌合ロックが解除されると略同時、若しくはそれより前に、前記第２突起部と前記第２係止部との嵌合ロックが解除されるよう、前記第２突起部の突出寸法を決めたことを特徴とした請求項１に記載のアンテナの反射器の取付け具。
【請求項３】
前記上部取付け具と下部取付け具からなるアンテナ反射器を所定のくの字角度とし、当該アンテナ反射器における前記固定部の間に前記アンテナアームを介在させた状態で、前記摘み片は、前記アンテナ反射器より外方向に向かって突出していると共に、前記アンテナアームと重合しない位置に設けられていることを特徴とした請求項２に記載のアンテナ反射器の取付け具。
【請求項４】
前記上部取付け具、及び下部取付け具のそれぞれの第１側面板と第２側面板に挟まれた結線板に形成された突起であって、前記固定部の間に前記アンテナアームを介在させ、前記アンテナ反射器を前記アンテナアームに対して前記固定手段で保持させた状態で、前記アンテナアームの所定位置に形成され、前記固定部に備えられた前記挿通孔の軸線に直交する方向に貫通するように設けられた係止孔に対して、前記上部取付け具と下部取付け具とが所定のくの字角度となった状態で前記係止孔に挿抜自在に挿入されるように形成された嵌合突起を備え、
前記嵌合突起は、当該嵌合突起の突出方向の軸線が、前記前記上部取付け具、及び下部取付け具のそれぞれの結線板の長手方向の軸線方向に対して、前記アンテナアーム方向に向かって所定の角度で傾斜するように形成されていると共に、前記嵌合突起における前記結線板側の元部の幅寸法であって、前記結線板の長手方向の軸線方向に直交する方向の寸法が、前記アンテナアームに設けられた前記係止孔の内径より僅かに短い寸法となるように形成されていることを特徴とした請求項１から請求項３の何れか一項に記載のアンテナ反射器の取付け具。
【請求項５】
請求項１から請求項４の何れか一項に記載のアンテナ反射器の取付け具を備えたアンテナ。
【考案の詳細な説明】
【技術分野】
【０００１】
本考案は、テレビ放送受信用等、屋外に設置されるアンテナの反射器の取付けに使用されるアンテナ反射器の取付具に関する。
【背景技術】
【０００２】
従来この種の取付け具として、アンテナアームを中心にしてくの字状に固定され、その上方、及び下方それぞれにおいて反射素子を水平支持する断面コ字状で同一構成の上部取付け具、及び下部取付け具からなるアンテナ反射器の取付け具が提案されている。この取付け具によると、前記上下取付け具相互の結合固定部におけるコ字状の対向面をなす第１側面板及び第２側面板には、前記上下取付け具それぞれの第１側面板の外側面に突設形成される半円突起部と、前記上下取付け具それぞれの第２側面板に前記され、前記上下取付け具が所定のくの字角度に配設されたときに、前記半円突起部が嵌合ロックされる半円孔と、を設けたことによって、前記コ字状第１側面板の半円突起部と相手方取付け具における第２側面板前の半円孔とを嵌合させれば、前記上下取付け具が所定のくの字角度となるようにロックされる。
（例えば、特許文献１参照）
【先行技術文献】
【特許文献】
【０００３】
【特許文献１】実用新案登録番号  第２５３２１８８号公報
【考案の概要】
【考案が解決しようとする課題】
【０００４】
ところが、従来技術のアンテナ反射器の取付け具によると、前記上下取付け具のロック状態を強固にしようとすると、前記第１側面板、及び第２側面板の撓み強度を強くする（言い換えれば、容易には撓まない材料で形成する）か、若しくは、前記半円突起部の突出寸法を長くするなどによって、前記半円突起部が前記半円孔から容易には抜け難い構成とすることが考えられる。ところが、このように抜け難い構成とするために、前記第１側面板、及び第２側面板の撓み強度を強くする方法、若しくは、前記半円突起部の突出寸法を長くする方法を採用したアンテナ反射器を具備したアンテナについて考えてみると、当該アンテナの設置現場において、前記アンテナ反射器の取付け具を所定のくの字状にロックする作業は、前記第１側面板、及び第２側面板を大きく撓ませなければならないので、通常より更に大きな力が必要となり容易にはできないため、アンテナ設置際の作業効率を著しく低下させることになるといった問題があった。
【０００５】
一方、現場での作業効率を優先させるため、前記半円形突起と前記半円孔とのロックが簡単にできるように、嵌合の状態を弱く（前記第１側面板、及び第２側面板が撓みやすいものを使用する。また、前記半円突起部の突出寸法を極力短くする）したとすると、例えば、台風などの強風によって、アンテナ反射器（詳しくは、コ字状に形成された取付け具の内側面）に過大な風圧荷重が加わったときに、最悪の場合、ロック状態が解除されることで、前記上下取付け具が閉じてしまって、アンテナの受信性能を著しく低下させるといった問題も考えられた。
【０００６】
更に、ロック状態を強固にする方法として、前記半円形突起と前記半円孔とからなる嵌合部の数を増やすことが考えられる。前記半円形突起と前記半円孔は金型を使っての成形で実現できるので、簡単、且つ安価にロック状態の強度を上げることができる。ところが、この構成によれば、嵌合部が増えたことによってロック状態の強度を上げることができるものの、前記アンテナ反射器の取付け具を所定のくの字状にロックする作業において、複数の嵌合部を嵌合するため、相変わらず通常より大きな力が必要となるといった問題があった。
そこで本願においては、こうした問題点を解決するためになされたものであり、
その目的は、簡単に組み付けられ、しかも、高信頼性を得ることができるアンテナ反射器の取付け具を提供することに有る。
その目的は、取付け、若しくは取り外しであっても、取扱性の優れたアンテナ反射器の取付け具を提供できる。
【課題を解決するための手段】
【０００７】
上記課題を解決するために、請求項１の考案は、アンテナアームの中心軸線に対して直交する方向の軸線を回動の中心として、くの字状に開閉自在となるように固定部において固定され、その上方、及び下方それぞれにおいて反射素子を水平支持する同一構成で形成された上部取付け具及び下部取付け具からなるアンテナ反射器の取付け具において、
前記上部取付け具、及び下部取付け具は、それぞれ相互に対向する第１側面板と第２側面板を有した断面コ字状に形成されており、前記固定部における前記第１側面板と前記第２側面板を同心的に貫通する孔であって、当該固定部の間に前記アンテナアームを介在させた状態で前記アンテナ反射器とアンテナアームを固定するための固定手段が挿通される第１挿通孔、及び前記上部取付け具及び下部取付け具を開閉自在に組み付けるための第２挿通孔と、前記上部取付け具、及び下部取付け具のそれぞれの第１側面板における前記固定部の近傍の外側面に突設された突起部であって、それぞれ所定の間隔だけ離れた位置に突設されるように設けられた第１突起部、及び第２突起部と、前記上部取付け具、及び下部取付け具のそれぞれの第２側面板における前記固定部の近傍に形成され係止部であって、前記第１側面板と前記第２側面板のそれぞれに形成された前記各挿通孔の中心軸を略同一線上に配設し、相手方取付け具の前記第１側面板の外側面が、前記第２側板板の内側面に沿って重なり合うように組み付けた状態で、前記上部取付け具と下部取付け具を所定のくの字角度としたときに、前記第１突起部、及び第２突起部と嵌合する第１係止部、及び第２係止部と、を具備しており、前記上部取付け具と下部取付け具とが所定のくの字角度となって、前記第１突起部と前記第１係止部とが嵌合ロックされるまでの間、当該第１突起部が前記第１側面板と第２側面板の間に介在するように位置するときでも、前記第２突起部は前記第２側面板と重合しないように、前記第１突起部の突出寸法より短い寸法で形成されており、しかも、前記第１突起部が前記第１係止部に嵌合ロックすると略同時に、前記第２突起部と前記第２係止部が嵌合ロックするよう、前記第２突起部と前記第２係止部との形成位置を決めるように構成した。
【０００８】
請求項２の考案は、請求項１に記載のアンテナの反射器の取付け具において、前記上部取付け具、及び下部取付け具のそれぞれの第２側面板には、前記突起部と前記係止部の嵌合ロックを解除するための摘み片を具備し、当該摘み片を外方向に弾性変形させることによって前記突起部と前記係止部との嵌合ロックを解除するように構成されており、前記第１突起部と前記第２突起部の形成位置は、前記第１突起部と前記第２突起部の嵌合状態が、前記上部取付け具、及び下部取付け具の外方向から見ることができる位置に形成されており、前記突起部と前記係止部との嵌合ロックを解除する場合、前記第１突起部と前記第１係止部との嵌合ロックが解除されると略同時、若しくはそれより前に、前記第２突起部と前記第２係止部との嵌合ロックが解除されるよう、前記第２突起部の突出寸法を決めるように構成した。
【０００９】
請求項３の考案は、請求項２に記載のアンテナの反射器の取付け具において、前記上部取付け具と下部取付け具からなるアンテナ反射器を所定のくの字角度とし、当該アンテナ反射器における前記固定部の間に前記アンテナアームを介在させた状態で、前記摘み片は、前記アンテナ反射器より外方向に向かって突出していると共に、前記アンテナアームと重合しない位置に設けられているように構成した。
【００１０】
請求項４の考案は、請求項１から請求項３の何れか一項に記載のアンテナの反射器の取付け具において、前記上部取付け具、及び下部取付け具のそれぞれの第１側面板と第２側面板に挟まれた結線板に形成された突起であって、前記固定部の間に前記アンテナアームを介在させ、前記アンテナ反射器を前記アンテナアームに対して前記固定手段で保持させた状態で、前記アンテナアームの所定位置に形成され、前記固定部に備えられた前記挿通孔の軸線に直交する方向に貫通するように設けられた係止孔に対して、前記上部取付け具と下部取付け具とが所定のくの字角度となった状態で前記係止孔に挿抜自在に挿入されるように形成された嵌合突起を備え、前記嵌合突起は、当該嵌合突起の突出方向の軸線が、前記前記上部取付け具、及び下部取付け具のそれぞれの結線板の長手方向の軸線方向に対して、前記アンテナアーム方向に向かって所定の角度で傾斜するように形成されていると共に、前記嵌合突起における前記結線板側の元部の幅寸法であって、前記結線板の長手方向の軸線方向に直交する方向の寸法が、前記アンテナアームに設けられた前記係止孔の内径より僅かに短い寸法となるように形成した。
【００１１】
請求項５の考案は、請求項１から請求項４の何れか一項に記載のアンテナの反射器の取付け具を用いてアンテナを構成した。
【考案の効果】
【００１２】
請求項１の考案によれば、前記第１突起部が前記第１係止部に嵌合するまで、前記第２突起部が前記第２側面部の何れの部分にも重合しないよう、前記第１突起部の突出寸法に比べ第２突起部１２の突出寸法を短くしたことによって、前記第２突起部の存在があっても、前記上下取付け具３Ａ、３Ｂを開いていく作業において、前記第２突起部１２の影響を受けることがないので、僅かの力で簡単に組み立て作業を行うことができることから、アンテナの設置工事において優れた容易性を有したアンテナ反射器の取付け具を提供できる。
【００１３】
更に言えば、前記下部取付け具と前記上部取付け具とが所定のくの字角度となった状態まで開いた時に、前記突起部（第１突起部１１、及び第２突起部）と、前記係止部（第１係止部、及び第２係止部）と、が略同時に対向配置されるように構成したことによって、前記突起部と前記係止部とは略同時に嵌合してロックするので、前記第１突起部と前記第１係止部を嵌合させれば、前記第２突起部と第２係止部の存在に何ら注意することなく全ての嵌合部を略同時に嵌合ロックでき、下部取付け具と前記上部取付け具との所定のくの字角度を確りと維持することができるので、信頼性の高いアンテナ反射器の取付け具を提供できる。
【００１４】
請求項２の考案によれば、請求項１の考案において、前記突起部と前記係止部の嵌合ロックを解除する摘み片を備え、また、前記第１突起部と第１係止部が形成された位置は、当該第１突起部と第１係止部の嵌合状態が、前記下部取付け具、及び上部取付け具の外方向から見ることができる位置に形成されており、しかも、前記第２突起部の突出寸法は、前記第１突起部と前記第１係止部との嵌合ロックが解除されると略同時、若しくはそれより前に、前記第２突起部と前記第２係止部との嵌合ロックが解除されるような長さに決めてあるので、前記摘み片を使って前記突起部と前記係止部の嵌合ロックを解除する場合、前記第１突起部と前記第１係止部との嵌合ロックが解除されることを目視で確認すれば、前記第２突起部と前記第２係止部との嵌合ロックが解除されたかどうかを確認することなく、簡単に嵌合ロックが解除できる。しかも、この嵌合ロックの解除の際に工具等の使用を必要としないので、極めて取扱性の優れたアンテナ反射器の取付け具を提供できる。
【００１５】
請求項３の考案によれば、請求項２の考案において、前記摘み片が、全体くの字状に固定されたアンテナ反射器から、外方に向かって突出するように備えられると共に、前記上下取付け具における前記固定部の間に前記アンテナアームを介在させた状態で、それぞれの摘み片の配設位置が前記アンテナナアームと重合しないように設けられていることによって、前記突起部と前記係止部との嵌合ロックの解除を行なう必要が生じた場合、前記アンテナアームに邪魔されること無く、指先等を使って前記摘み片を外方向に撓ませることができるので、簡単な操作で前記突起部１３と前記係止部２３の嵌合ロックを解除可能な、作業性の優れたアンテナ反射器２の取付け具３を提供できる。
【００１６】
請求項４の考案によれば、請求項１から請求項３の何れか一項に記載のアンテナの反射器の取付け具において、前記嵌合突起の横幅と前記係止孔の内径とが嵌合するように構成したので、前記アンテナ反射器が前記アンテナアーム５０の周方向に揺動するのを防止でき、前記アンテナアームに対してガタつきが無く、確りとした組み付けができる。しかも、前記嵌合突起の存在があっても、前記下部取付け具、及び上部取付け具の開閉操作に何らの影響を与えることがないので、アンテナ反射器の組み立て作業、延いてはアンテナの設置作業の容易性を損なうことのないアンテナ反射器の取付け具を提供することができる簡単に行うことができる。また、組み付けが簡単であっても、風などによってアンテナ反射器がガタついて異音を発生することの無い、高い信頼性を有したアンテナ反射器の取付け具を提供することができる。
【００１７】
請求項５の発明によれば、請求項１から請求項４の何れか一項に記載のアンテナ反射器の取付け具を用いてアンテナを構成したことによって、簡単に組み付けられ、しかも、高信頼性を得ることができるアンテナを提供することができる。また、取り付け、若しくは取り外しであっても、取扱性の優れたアンテナを提供できる。更に言えば、組み付けが簡単であっても、風などによってアンテナ反射器がガタついて異音を発生することの無い、高い信頼性を有したアンテナを提供することができる。
【図面の簡単な説明】
【００１８】
【図１】本考案の実施形態に係るアンテナ反射器の取付け具の概略図であり、（ａ）は取付け具の一部を破断した正面図、（ｂ）は取付け具の第１側面板を説明するための右側面図、（ｃ）は（ｂ）の上面図であり、（ｂ）のＸ−Ｘ線にから見た一部断面図、（ｄ）は取付け具の第２側板版を説明するための左側面図、（ｅ）は（ｄ）の上面図であり、（ｄ）のＹ−Ｙ線にから見た一部断面図、（ｆ）は上面図である。
【図２】本考案の実施形態に係るアンテナ反射器の取付け具の組み付け手順を説明するための一部断面の概略図であり、（ａ）は組み付け前の状態を示す背面図、（ｂ）は組み付け途中の状態を示す背面図、（ｃ）は組み付けが完了した状態を示す背面図、（ｄ）はアンテナアームを説明するための上面図である。
【図３】本考案の実施形態に係るアンテナ反射器の取付け具の嵌合状態を説明するために一部断面の概略図であり、（ａ）は嵌合前の状態を示す背面図、（ｂ）は嵌合後の状態を示す背面図である。
【図４】本考案の実施形態に係るアンテナ反射器を備えたアンテナを説明するための概略側面図である。
【考案を実施するための形態】
【実施例１】
【００１９】
以下に本考案に係るアンテナ反射器２の取付け具３の一実施形態について図１を基に説明する。図１は本考案の実施形態に係るアンテナ反射器の取付け具の概略図であり、（ａ）は取付け具の一部を破断した正面図、（ｂ）は取付け具の第１側面板を説明するための右側面図、（ｃ）は（ｂ）の上面図であり、（ｂ）のＸ−Ｘ線にから見た一部断面図、（ｄ）は取付け具の第２側板版を説明するための左側面図、（ｅ）は（ｄ）の上面図であり、（ｄ）のＹ−Ｙ線にから見た一部断面図、（ｆ）は上面図である。尚、以下の説明で方向を示す場合、特に明示されない限り図１（ａ）で示される取付け具３の状態を基準とし、図の手前側が前面、若しくは前方、図の奥行き側が後面、若しくは後方である。また水平方向は図の左右方向である。垂直方向は図の上下方向である。
【００２０】
本考案に係るアンテナ反射器２の取付け具３は、例えば合成樹脂材等で成形されており、  それぞれ相互に対向するように配置された第１側面板１０と第２側面板２０と、当該第１側板と第２側板板とを一体的に接続する結線板３０と、を前面側を開口した断面コ字状に構成されている。
【００２１】
前記第１側面板１０は、図１に示されているように全体逆Ｌ字状に形成されており、図の上側端部における第１平面部１４の外側面には、当該第１平面部１４に突設するように設けられた円筒状の部材であって、中心部に前記第１平面部１４（延いては、前記第１側面板１０）を貫通するように設けられた第１挿通孔５ａを備えた第１固定部５が形成されている。
【００２２】
更に、前記第１平面部１４における前記第１固定部５の近傍には、前記第１平面部１４の外側面に突設された突起であって、それぞれ前記第１固定部５の中心（即ち、前記第１挿通孔５ａの中心）から所定の間隔だけ離れた位置に突設されるように設けられた第１突起部１１、及び第２突起部１２とからなる突起部１３が形成されている。本考案の実施形態では、前記第１挿通孔５ａの中心から前記第２突起部１２までの寸法より、前記第１挿通孔５ａの中心から前記第１突起部１１までの寸法が長くなるように、前記第１突起部１１と前記第２突起部１２の位置が決められている。即ち、前記取付け具３を前記第１挿通孔５ａの中心を回転軸として回転させたときに、前記第１挿通孔５ａの中心を回転軸として、前記第１突起部１１が描く円弧の内側に、前記第２突起部１２が描く円弧が位置するように配設されている。
【００２３】
次に、前記第２側面板２０は、前記第１側板板１０と略同様に全体逆Ｌ字状に形成されており、図の上側端部における第２平面部２４には、中心部に前記第２平面部２４（延いては、前記第２側面板２０）を貫通するように設けられた第２挿通孔６ａを備えた第２固定部６が形成されている。尚、この第２挿通孔６ａの内径は前記第１側面板１０に備えられた前記第１固定部５の外径より僅かに大きい寸法で形成されており、後に説明するように前記第２挿通孔６ａに対して前記第１固定部５を嵌め込んだときに、相互に回動自在に枢着できるほどの大きさに形成されている。
【００２４】
加えて、前記第２平面部２４における前記第２固定部６の近傍には、それぞれ前記第２固定部６の中心（即ち、前記第２挿通孔６ａの中心）から所定の間隔だけ離れた位置に突設されるように設けられた第１係止部２１と第２係止部２２とからなる係止部２３が形成されている。前記第１係止部２１と前記第２係止部２２は、２つの前記取付け具３（詳しくは、後に詳述する同一構成からなる下側取付け具３Ａ、上側取付け具３Ｂ）を、それぞれの開口部が対向するように配置してから、前記第１側面板１０と前記第２側面板２０のそれぞれに形成された前記各挿通孔の中心軸を略同一線上に配設（言い換えれば、前記第１固定部５を前記第２挿通孔６ａに嵌め込んだ状態、図２（ｃ）参照）し、相手方取付け具の前記第１側面板１０における前記第１平面部１４の外側面が、前記第２側板板２０における前記第２平面部２４の内側面に沿って重なり合うように組み付けた状態で、前記上部取付け具３Ａと前記下部取付け具３Ｂとを、閉じた状態から所定のくの字角度となるように開いたときに、前記第１突起部１１、及び第２突起部１２を受け入れ嵌合するように、それぞれ前記第１突起部１１、及び第２突起部１２に対向する位置に設けられている。
【００２５】
更に、前記第２側面板２０には前記第２平面部２４を図の上方に向かって延設するように摘み片２５が備えられている。この摘み片２５は前記第２平面部２４を外方向に向かって撓ませるために用いるように設けられたものであり、この摘み片２５に対する指先等による操作によって、前記第１側面板１０に形成された前記突起部１３と、前記第２側面板２０に形成された係止部２３の嵌合ロックを解除することができる。この摘み片２５の存在によって、前記第２側板部２０の長手方向の寸法は、前記第１側板部１０の長手方向の寸法より長くなり、前記摘み片２５が外方向に突出する。尚、この摘み片２５の詳しい説明は以下に詳述する。
【００２６】
次に、前記第１側板１０と第２側板板２０とを一体的に接続する結線板３０における前記固定部５、６側の端部には、後述するアンテナアームの外周面に対応するように湾曲させることで、前記アンテナアームに当て付け可能に構成された湾曲部９が形成されている。更に、当該湾曲部９の略中央部には、前記結線板３０の長手方向の軸線方向外側に向かって突設した嵌合突起４が形成されている。尚、前記嵌合突起４の詳細については以下に説明する。
【００２７】
前記第１側面板１０、及び前記第２側面板２０の中間位置にあって、両側面板を貫通する孔７は、反射素子８を保持・固定するための孔である。
【００２８】
このように構成された本考案の実施形態に係るアンテナ反射器２の取付け具３の組み立て手順について図２を基に説明する。図２は本考案の実施形態に係るアンテナ反射器２の取付け具３の組み付け手順を説明するための一部断面の概略図であり、（ａ）は組み付け前の状態を示す背面図、（ｂ）は組み付け途中の状態を示す背面図、（ｃ）は組み付けが完了した状態を示す背面図、（ｄ）はアンテナアーム５０を説明するための上面図である。
【００２９】
本考案の実施形態に係るアンテナ反射器２は、上述したように、同一構成の２つの前記取付け具３、つまり図に示されている下側取付け具３Ａ、及び上側取付け具３Ｂを、図２（ａ）のように、アンテナアーム５０を介してそれぞれの開口部が対向するように配置してから、図２（ｃ）のように前記第１側面板１０と前記第２側面板２０のそれぞれに形成された前記各挿通孔５ａ、６ａの中心軸を略同一線上に配設（言い換えれば、前記第１固定部５を前記第２挿通孔６ａに嵌め込んだ状態）し、相手方取付け具の前記第１側面板１０における前記第１平面部１４の外側面が、前記第２側板板２０における前記第２平面部２４の内側面に沿って重なり合うように組み付けた状態とすることで組み付けが完了する。
【００３０】
尚、前記下部取付け具３Ａと前記上部取付け具３Ｂとの組み付けに際して、図（ｂ）に示されているように、前記アンテナアーム５０の存在があっても、前記第１平面部１４、及び第２平面部２４は外方向に撓むように構成されていることから、前記下部取付け具３Ａと前記上部取付け具３Ｂとの組み付けは容易に行うことができる。また、前記下部取付け具３Ａと前記上部取付け具３Ｂとの組み付けが完了したなら、前記第２平面部２４の付勢力によって、前記アンテナアーム５０を前記固定部５、６の間に介在させた状態で、前記第１平面部１４に組み付けられるので、前記第１側面板１０に備えられた前記固定部５と、前記第２側面板２０に備えられた固定部６との嵌合状態は容易には外れることは無い。
【００３１】
このように、同一構成である２つの取付け具３Ａ、３Ｂが組み付けられることによって、本考案の実施形態に係るアンテナ反射器２が構成される。そして、このアンテナ反射器２と前記アンテナアーム５０との組み付けは、同心的に貫通するように対向配置する、下部取付け具３Ａの前記第１固定部５に設けられた前記第１挿通孔５ａ、及び上側取付け具３Ｂの第２固定部６に設けられた前記第１挿入孔５ａと、前記アンテナアーム５０の所定位置に当該アンテナアーム５０を貫通するように設けられた貫通孔５５の軸線とを略一致させた状態で、図２（ｃ）に示されているように、周知の固定手段１５（本考案の実施形態では、ボルト１５ａ、及び蝶ナット１５ｂ）でもって着脱自在に固着することで行なわれる。
【００３２】
次にこのように組み付けが完了した本考案の実施形態に係るアンテナ反射器２における、前記上下取付け具３Ａ、３Ｂのそれぞれに備えられた前記突起部１３と前記係止部２３との嵌合状態を、図３、及び図４を用いて説明する。図３は本考案の実施形態に係るアンテナ反射器２の取付け具３の嵌合状態を説明するために一部断面の概略図であり、（ａ）は嵌合前の状態を示す背面図、（ｂ）は嵌合後の状態を示す背面図である。また、図４は本考案の実施形態に係るアンテナ反射器２を備えたアンテナ１を説明するための概略側面図である。
【００３３】
本考案の実施形態に係るアンテナ反射器２では、前記上下取付け具３Ａ、３Ｂの組み付けが完了した時点で、前記突起部１３と前記係止部２３とは嵌合状態に無く、前記固定手段１５を緩めておけば、前記上下取付け具３Ａ、３Ｂは略平行状態に配置した状態（図２（ｃ）を参照）から、前記第１側面板１０に備えられた前記突起部１３の内のそれぞれの前記第１突起部１１が、前記第２側面部２０の前記第２平面部２４の上端面２４ａ（詳しくは図１を参照）に当接して制限を受けるまで前記上下取付け具３Ａ、３Ｂを容易に開くことができる。
【００３４】
一方、本考案の実施形態では、前記第１突起部１１はその回動方向に位置する先端部が、前記第１突起部１１が形成されている前記第１平面部１４に向かって順次低くなっていくスロープ状に形成されたスロープ部１１ａを備えている。その為、上述のように前記上下取付け具３Ａ、３Ｂを順次開いていって、前記第１側面板１０に備えた前記第１突起部１１が、前記第２側面板２０の前記上端面２４ａに当接すると、前記上下取付け具３Ａ、３Ｂを開く力を僅かに強めれば、当該スロープ部１１ａが、前記第１突起部１１が形成されている前記第１平面部１４と、前記第２側板板２０における前記第２平面部２４の内側面との間に入り込んで、前記第２側面板２０の前記第２平面部２４が前記第１突起部１１を乗り越えるように外方向に押し広げられるので、前記上下取付け具３Ａ、３Ｂを拡げるための操作は容易に行うことができる（図３（ａ）を参照）。
尚、前記第２平面部２４と、前記結線板３０に備えられた湾曲部９との間に形成された切欠き３１は、前記第２平面部２４を撓み易くするために設けられている。
【００３５】
更に、本考案の実施形態では、前記突起部１３を構成する前記第１突起部１１と前記第２突起部１２の突出寸法を比較すると、前記第１突起部１１が、当該第１突起部１１が形成されている前記第１平面部１４と、前記第２側板板２０における前記第２平面部２４の内側面との間にある状態（即ち、図３（ａ）の状態）であっても、前記第２突起部１２が前記第２側面部２０における前記第２平面部２４の何れの部分にも重合しないよう、前記第１突起部１１の寸法に比べ第２突起部１２の突設寸法を短く形成している。その為、前記第２突起部１２の存在があっても、前記上下取付け具３Ａ、３Ｂを開いていく作業において、前記第２突起部１２の影響を受けることがないので、僅かの力で組み立て作業を行うことができることから、アンテナの設置工事において優れた容易性を有したアンテナ反射器の取付け具を提供できる。
【００３６】
更に言えば、前記下部取付け具３Ａと前記上部取付け具３Ｂとが所定のくの字角度となった状態まで開くと、前記第１側面板１０における前記第１平面部１４に形成された前記突起部１３（第１突起部１１、及び第２突起部１２）と、前記第２側面板２０における第２平面部２４に形成された前記係止部（第１係止部２１、及び第２係止部２２）と、が略同時に対向配置されると共に、今まで押し広げられていた前記第２側面板２０における前記第２平面部２４が、その付勢力によって元に戻ることから、前記突起部１３と前記係止部２３とは嵌合してロックするので前記第１突起部１１と前記第１係止部２１を嵌合させれば、前記第２突起部１２と第２係止部２２の存在に何ら注意することなく全ての嵌合部（本考案の実施形態では２箇所）を略同時に嵌合ロックでき、下部取付け具３Ａと前記上部取付け具３Ｂとの所定のくの字角度を確りと維持することができるので、信頼性の高いアンテナ反射器２の取付け具３を提供できる。
【００３７】
本考案の実施形態における前記第１係止部２１は、前記第２平面部２４の外側面から突設するように設けられており、その内側には、前記第１突起部１１を受け入れる大きさに形成された凹部２１ａを備えるように構成されている。そして、前記凹部２１ａの内周壁は前記第２平面部２４に対して略直交する方向に立設されており、しかも、前記第１突起部１１の回動方向とは逆の方向に位置する後端部１１ｂが、前記第１平面部１４に対して略直交する方向に突出しているので、前記凹部２１ａに前記第１突起部１１が嵌合すると完全にロックされ、前記下部取付け具３Ａと前記上部取付け具３Ａを閉じることは容易にできない（図３（ｃ）、及び図４を参照）。
【００３８】
本考案の実施形態における前記第２係止部２２は、図１、及び図４に示されているように、前記第２側面板２０における前記平面部２４を貫通するように設けられた嵌合孔である。従って、この嵌合孔に嵌合する前記第２突起部１２は、当該嵌合孔の内径より僅かに小さい寸法の外径を有した円筒状に形成されておればよい。本考案の実施形態では、この第２係止部２２を円形状に形成したが、当該第２係止部２２と前記第２突起部１２との形状が対応しておれば、その形状は問わない。
【００３９】
更に、本考案の実施形態における前記結線板３０には、上述した前記嵌合突起４が備えられている。この嵌合突起４は、前記固定部５、６の間に前記アンテナアーム５０を介在させ、前記アンテナ反射器２を前記アンテナアーム５０に対して前記固定手段１５で保持させると共に、前記下部取付け具３Ａと前記上部取付け具３Ａとを開いて、前記突起部１３と前記係止部２３とを嵌合ロックした状態で、前記アンテナ反射器２が前記アンテナアーム５０の周方向に揺動しないようにするための突起である。
【００４０】
この嵌合突起４は、前記下部取付け具３Ａと前記上部取付け具３Ａとを開いて、前記突起部１３と前記係止部２３とを嵌合ロックした状態で、前記アンテナアーム１０の所定位置に形成された係止孔５４に対して、挿抜自在に挿入されるように形成されている。この係止孔５４は図２（ｄ）に示されているように、前記アンテナ反射器２を前記アンテナアーム５０に固定するための前記貫通孔５５の軸線に直交する方向に貫通するように設けられている。尚、図３で示されたアンテナアーム１０は、図２（ｄ）におけるＺ−Ｚ線から見た断面図である。
【００４１】
本考案の実施形態では、前記嵌合突起４は、当該嵌合突起４の突出方向の軸線が、前記前記下部取付け具３Ａ、及び上部取付け具３Ｂのそれぞれの結線板３０の長手方向の軸線方向に対して、前記アンテナアーム１０方向に向かって（言い換えれば、取付け具３の前方側に向かって）所定の角度で傾斜するように形成されていると共に、前記嵌合突起４における前記結線板３０側の元部の幅寸法であって、前記結線板３０の長手方向の軸線に直交する方向の寸法が、前記アンテナアーム５０に設けられた前記係止孔５４の内径より僅かに短い寸法を有した略横長状（本考案の実施形態では横長状の楕円）となるように形成されている。
【００４２】
このように構成したことによって、前記嵌合突起４の横幅と前記係止孔５４の内径とが嵌合するので、前記アンテナ反射器２の前記アンテナアーム５０の周方向の揺動を防止でき、前記アンテナアーム５０に対してガタつきが無く、確りとした組み付けができる。しかも、前記嵌合突起４の存在があっても、前記下部取付け具３Ａ、及び上部取付け具３Ｂの開閉操作に何らの影響を与えることがないので、アンテナ反射器２の組み立て作業、延いてはアンテナ１の設置作業の容易性を損なうことのないアンテナ反射器の取付け具を提供することができる。また、前記嵌合突起４が前記係止孔５４に挿入され嵌合した状態で、前記嵌合突起４が形成されている前記湾曲部９が、前記アンテナアーム５０の周面に沿うように、当該アンテナアーム５０を挟んで上下に対向配置されることから、前記アンテナ反射器２の前記アンテナアーム５０の上下方向のガタつきを抑えることができる。
【００４３】
このように構成された前記アンテナ反射器２は、前記アンテナアーム５０に対して前記固定手段１５でもって固定されると共に、前記突起部１３と前記係止部２３が確りと嵌合ロックし、しかも、前記嵌合突起４が前記アンテナアーム１０に形成された前記係止孔５４に嵌合することによって、組み付けが簡単であっても、風などによってアンテナ反射器がガタついて異音を発生することの無い、高い信頼性を有したアンテナ１を提供することができる。
【００４４】
このように前記突起部１３と前記係止部２３が嵌合ロックし、前記アンテナ反射器２（詳しくは、前記上部取付け具３Ａと前記下部取付け具３Ｂ）が所定のくの字角度となるように確りと固定された状態であっても、図４に示されているように、前記第２側面板２０の前記固定部６側に設けられた前記摘み片２５が、全体くの字状に固定されたアンテナ反射器２から、後方（図４の左方向）に向かって突出するような位置に備えられると共に、それぞれの摘み片２５が前記アンテナアーム５０を挟んで、当該アンテナアーム５０より図の上下方向に位置する（言い換えれば、前記アンテナナアーム５０と重合しない）ように設けられている。
【００４５】
このように備えられた摘み片２５によると、前記突起部１３と前記係止部２３との嵌合ロックの解除を行なう必要が生じた場合、前記アンテナアーム５０に邪魔されること無く、指先等を使って前記摘み片２５を外方向に撓ませることができるので、簡単な操作で前記突起部１３と前記係止部２３の嵌合ロックを解除可能な、作業性の優れたアンテナ反射器２の取付け具３を提供できる。
【００４６】
更に言えば、本考案の実施形態によると、図３（ｂ）に示されているように、前記第１突起部１１と第２突起部２１が形成された位置は、当該第１突起部１１と第２突起部２１の嵌合状態が、前記下部取付け具３Ａ、及び上部取付け具３Ｂの外方向から見ることができる位置に形成されており、しかも、前記第２突起部２１の突出寸法は、前記第１突起部１１と前記第１係止部２１との嵌合ロックが解除されると略同時、若しくはそれより前に、前記第２突起部１２と前記第２係止部２２との嵌合ロックが解除されるような長さに決めてあるので、前記摘み片２５を使って前記突起部１３と前記係止部２３の嵌合ロックを解除する場合、前記第１突起部１１と前記第１係止部２１との嵌合ロックが解除されることを目視で確認すれば、前記第２突起部１２と前記第２係止部２２との嵌合ロックが解除されたかどうかを確認する必要もないので、簡単に嵌合ロックが解除できる。しかも、この嵌合ロックの解除の際に工具等の使用を必要としないので、極めて取扱性の優れたアンテナ反射器の取付け具を提供できる。
【符号の説明】
【００４７】
１…アンテナ、２…アンテナ反射器、３…取付け具、３Ａ…下側取付け具、３Ｂ…上側取付け具、４…係合突起、５…第１固定部、５ａ…第１挿通孔、６…第２固定部、６ａ…第２挿通孔、７…保持孔、８…反射素子、９…湾曲部、１０…第１側面板、１１…第１突起部、１２…第２突起部、１３…突起部、１４…第１平面部、１５…固定手段、１５ａ…ボルト、１５ｂ…蝶ナット、２０…第２側面板、２１…第１係止部、２１ａ…凹部、２２…第２係止部、２３…係止部、２４…第２平面部、２５…摘み片、３０…結線板、３１…切欠き、５０…アンテナアーム、５４…係止孔、５５…貫通孔。
【図１】
0003175543.tif 000003
【図２】
0003175543.tif 000004
【図３】
0003175543.tif 000005
【図４】
0003175543.tif 000006